(57)【要約】      （修正有）【課題】建築現場等でのくさび締結式足場において、平面視において、直線又は直角のみならず任意の角度方向に簡易に足場を連結することができるとともに、足場の高さ変更も容易で、足場に安定性をも付与できる足場用クランプを提供する。【解決手段】くさび締結式足場を平面視で任意方向に連結する足場用クランプ１であって、支柱に弧状の固定輪部２ａ及び回動輪部２ｃで固定される輪部２と、輪部２の開口方向と直交する方向に固定輪部２ａから突出した棒部３ａ及び棒部３ａから垂下し支柱に隣接する他の支柱のポケットに嵌められる突起３ｂからなるＬ字クサビ３と、から構成される。【選択図】図１
2016061057.tif 000002
【特許請求の範囲】
【請求項１】
くさび締結式足場を平面視で任意方向に連結するクランプであって、
支柱に弧状の固定輪部及び回動輪部で固定される輪部と、
前記輪部の開口方向と直交する方向に前記固定輪部から突出した棒部及び前記棒部から垂下し前記支柱に隣接する他の支柱のポケットに嵌められる突起からなるＬ字クサビと、
から構成されることを特徴とする足場用クランプ。
【請求項２】
請求項１に記載の足場用クランプを用いて、組み立てられたことを特徴とする足場。
【発明の詳細な説明】
【技術分野】
【０００１】
本発明は、建築現場等でのくさび締結式足場において、平面視において、直線又は直角のみならず任意の角度方向に簡易に足場を連結することができるとともに、足場の高さ変更も容易で、足場に安定性をも付与できる足場用クランプに関する。
【背景技術】
【０００２】
建築現場での足場は、組み立てが容易なことから、くさび締結式足場が主流である。くさび締結式足場には、ブリッジ型緊結方式  ポケット型緊結方式がある。ブリッジ型締結方式は、布材等の端部にコの字状に溶接加工された緊結部を支柱に溶接取付けしてあるポケット金具又はフランジ金具にはめ込み、くさびをハンマーで打ち込み連結する方式である。ポケット型緊結方式は  布材、ブラケット等の部材に直接くさび付き金具が溶接加工されており、このくさび付き金具を支柱に溶接取付けしてあるポケットの金具にハンマーで打ち込み連結する方式である。
【０００３】
くさび締結式足場の基本部材構成は、ポケット付支柱、クサビ付布材（手摺り）、踏板、クサビ付きブラケット、ネジ管式ジャッキ型ベース金具（土台）などである。
【０００４】
足場部材（パイプ）を連結するクランプとしては、特許文献１の図７、８に示すように、輪部が連結した、自在クランプが流通している。輪部が回転し、連結方向を自在にすることができるものであるが、くさび締結式足場において隣り合う２本の支柱間を連結することは隣接する支柱間にポケットがあるためスペースが形成され、距離を近づけることができず、支柱同士を締結することはできなかった。したがって、くさび締結式足場においては、足場は、平面視、直線方向又は直角方向にしか連結していくことができなかった。
【０００５】
他方、特許文献１の図１−６には、単管パイプを直列に連結するのに供する連結具であって、全ての単管パイプに使用可能で、足場パイプを必要とせず、支柱等との単管パイプの接合部の納まりや通りや見栄えが良く、安全な仮設手摺等を架設するのに適する連結用自在クランプであって、固定片１０、１０’と保持片１２、１２’との間に単管パイプｃを保持する単体クランプ２つからなり、一双の単体クランプ１、１’の夫々の固定片１０、１０’の基部接合面を蝶番２を介して連結し、そして蝶番２の回転軸１９は、固定片１０の基部接合面に平行であって保持する単管パイプｃの軸線に直角に配置してなり、また連結用自在クランプの一双の単体クランプが蝶番で連結されているので、夫々の単管パイプを連結部で蝶番を介して自由に回転させて、単管パイプを曲げることが出来るので、仮設手摺等の勾配部の連結とか、出隅や入隅コーナー部の連結等に便利であるというものである。
【０００６】
特許文献１の発明「連結用自在クランプ」は、建築現場等における足場を、平面視において、直線又は直角のみならず任意の角度方向に連結することができるものの、輪部を２つ備えることから材料コストが高い上、蝶番を用いることから組み立ても煩雑である。さらに、足場設置、増減において、輪部を２つ支柱に結束しなければならず、足場の組み立て作業も煩雑となる。さらには、やはり、くさび締結式足場においては、ポケットによる支柱間のスペースのために、支柱の連結に使用することはできない。
【先行技術文献】
【特許文献】
【０００７】
【特許文献１】実開平０５−４０４９４号公報
【発明の概要】
【発明が解決しようとする課題】
【０００８】
そこで、本発明は、建築現場等でのくさび締結式足場において、平面視において、直線又は直角のみならず任意の角度方向に簡易に足場を連結することができるとともに、足場の高さ変更も容易で、足場に安定性をも付与できる足場用クランプを提供することを目的とするものである。
【課題を解決するための手段】
【０００９】
本発明は、上記課題を解決するために、
（１）
くさび締結式足場を平面視で任意方向に連結するクランプであって、
支柱に弧状の固定輪部及び回動輪部で固定される輪部と、
前記輪部の開口方向と直交する方向に前記固定輪部から突出した棒部及び前記棒部から垂下し前記支柱に隣接する他の支柱のポケットに嵌められる突起からなるＬ字クサビと、
から構成されることを特徴とする足場用クランプ。
（２）
（１）に記載の足場用クランプを用いて、組み立てられたことを特徴とする足場。
とした。
【発明の効果】
【００１０】
本発明は、以上の構成であるので、くさび締結式足場において、平面視において、直線又は直角のみならず任意の角度方向に簡易に足場を連結することができる。本発明の足場用クランプは、１つの輪部を１つの支柱に締結し、他方のＬ字クサビは既存の支柱のポケットにはめ込むだけであるので、足場設置、増減、形状変更、高さ変更が極めて容易で、足場組み立て効率がよい。
【図面の簡単な説明】
【００１１】
【図１】本発明である足場用クランプの斜視図である。
【図２】本発明である足場用クランプで足場を組み立てたときの側面断面図である。
【図３】本発明である足場用クランプで足場を組み立てたときの他の位置の側面断面図である。
【図４】本発明である足場用クランプで足場を組み立てたときの他方向の側面断面図である。
【図５】本発明である足場用クランプで足場を組み立てときの水平断面図である。
【発明を実施するための形態】
【００１２】
以下、添付図面に基づき本発明について詳細に説明する。なお、本発明は下記実施例に限定されるものではない。
【実施例１】
【００１３】
図１−５に示すように、本発明である足場用クランプ１は、輪部２と、Ｌ字クサビ３からなり、くさび締結式足場を平面視で任意の角度方向に簡易に方向に連結していくことができるクランプである。
【００１４】
輪部２は、半弧状の固定輪部２ａと、固定輪部２ａ端部に挿通する軸２ｂと、軸２ｂに回動可能に挿通するとともに他端部に切れ込み２ｄを備える半弧状の回動輪部２ｃと、固定輪部２ａの反軸２ｂ端部に回動可能に位置する回転軸２ｅと、回転軸２ｅに連設するネジ部２ｆと、ネジ部２ｆに螺合するワッシャ２ｇ及びナット２ｈとからなり、輪部２の開口２ｉに、支柱（パイプ）を位置させ、輪部２で支柱などのパイプに固定される。
【００１５】
支柱への輪部２の固定は、固定輪部２ａ及び回動輪部２ｃを開き、支柱を挟み、切れ込み２ｄにネジ部２ｆを位置させた上で、ワッシャ２ｇ及びナット２ｈをネジ部２ｆにネジ込み、締め付ける。その結果、足場用クランプ１は支柱に固定される。
【００１６】
Ｌ字クサビ３は、輪部２の開口２ｉ方向と直交する方向に、固定輪部２ａから突出した棒部３ａと、棒部３ａから垂下し隣接する他の支柱のポケットに嵌められる突起３ｂとからなる。棒部３ａは、支柱間の距離に応じて、任意の長さとすることができる。
【００１７】
このようにしてなる本発明である足場用クランプ１は、図２−３に示すように、足場４において、隣接する支柱５と支柱５の間を連結し、さらに足場４を安定させる、軒１０ａに固定される土台及び短支柱５ｃ、杭５ｄに連結する。
【００１８】
ここで、くさび締結式の足場４は、図２−４に示すように、支柱５と、土台６と、プラケット７と、踏板８と、手摺り９とからなる。これらは、一般に、既製品として流通している。
【００１９】
土台６は、設置場所の地上部に設置され、また必要に応じて上部固定位置（ここでは、軒１０ａとした。）に当接する（図２、４（Ａ））、ベース６ａと、ベース６ａから起立したネジ管６ｂと、ネジ管６ｂに螺合し、支柱５の位置を上下させ高さ調節するジャッキ６ｃとからなる。
【００２０】
支柱５は、ネジ管６ｂに嵌り、端部に穴５ｂが穿設された短いパイプを任意に連結して長さ可変に組み立てられ、側面の四方にはポケット５ａが突設され、ポケット５ａに各部材のクサビが嵌められる。穴５ｂには、棒などを挿入し、パイプの位置固定、抜け防止に用いられる。
【００２１】
土台６を軒１０ａに係止するに際して、土台６を支柱５に繋ぐことができない場合には、図２、４（Ａ）に示すように、足場用クランプ１の突起３ｂを支柱５のポケット５ａに嵌め、土台６を備える短支柱５ｃに輪部２を連結し、短支柱５ｃを介して支柱５の上部を固定する。従来の自在クランプでは、支柱５にポケット５ａが存在するため、支柱５と短支柱５ｃとに距離が生じ、連結することはできない。
【００２２】
また、土台６だけでは、地面１１に安定して足場４を組めないとき、例えば、斜面、狭小スペースのとき、には、足場４のズレ防止、安定性向上、確保のため、図３、４（Ｂ）に示すように、足場用クランプ１の突起３ｂを支柱５のポケット５ａに嵌め、地面１１に打ち込んだ杭５ｄに輪部２を連結し、杭５ｄで足場４の安定性を高めるとよい。従来の自在クランプでは、支柱５にポケット５ａが存在するため、支柱５と杭５ｄとに距離が生じ、連結することはできない。また、土台６のベースが邪魔になり、杭５ｄを地面１１に打ち込むことができない。
【００２３】
プラケット７は、クサビ７ａが支柱５のポケット５ａに嵌り、支柱５に固定され、支柱５の延設方向と直交する方向にバー７ｂが位置し、バー７ｂに連設する筋交い７ｃが支柱５に当接し、バー７ｂの位置を保持させる。
【００２４】
踏板８は、その両端の鈎８ａが、２本の支柱５、５に固定されたプラケット７のバー７ｂに係止され、踏板８の上を作業者が歩行する。
【００２５】
手摺り９は、その両端のクサビ９ａが、支柱５、５のポケット５ａに嵌り、支柱５に固定され、歩行する作業者が掴み、作業者の脱落防止のためのものである。
【００２６】
足場用クランプ１は、隣接する支柱５の一方に、輪部２で固定され、隣接する他方の支柱５のポケットにＬ字クサビ３の突起３ｂが嵌り、隣接する支柱５、５間を、図５に示すように、平面視で任意の角度方向に極めて簡易に連結することができる。
【００２７】
図５に示すように、本発明である足場用クランプ１を用いることで、建物１０が不定形状であっても、建物１０の形状に沿って、足場４を組み立てることができる。なお、足場用クランプ１、１ａは、棒部３ａの長さが異なるだけである。
【００２８】
これにより、足場４の設置工期を極めて短時間に行うことができ、また、作業対象である建物１０の側面との距離も適正化できるため、作業効率を高めることもできる。
【符号の説明】
【００２９】
１      足場用クランプ
１ａ    足場用クランプ
２      輪部
２ａ    固定輪部
２ｂ    軸
２ｃ    回動輪部
２ｄ    切れ込み
２ｅ    回転軸
２ｆ    ネジ部
２ｇ    ワッシャ
２ｈ    ナット
２ｉ    開口
３      Ｌ字クサビ
３ａ    棒部
３ｂ    突起
４      足場
５      支柱
５ａ    ポケット
５ｂ    穴
５ｃ    短支柱
５ｄ    杭
６      土台
６ａ    ベース
６ｂ    ネジ管
６ｃ    ジャッキ
７      プラケット
７ａ    クサビ
７ｂ    バー
７ｃ    筋交い
８      踏板
８ａ    鈎
９      手摺り
９ａ    クサビ
１０    建物
１０ａ  軒
１１    地面
【図１】
2016061057.tif 000003
【図２】
2016061057.tif 000004
【図３】
2016061057.tif 000005
【図４】
2016061057.tif 000006
【図５】
2016061057.tif 000007